(57)【要約】【課題】電話機の機種や形状によらず通話内容を記録することが可能なマイクロフォン装置を提供する。【解決手段】本発明のマイクロフォン装置は、耳に装着可能な第１筐体10の内部に第１音声検知器を内蔵してなる耳用マイクロフォン１と、口元付近に配置可能な第２筐体20の内部に第２音声検知器を内蔵してなる口用マイクロフォン２と、ステレオ録音機に接続可能なチャンネル端子部41、42を有するコネクター４と、第１音声検知器の出力信号と第２音声検知器の出力信号とを前記コネクター４の両チャンネル端子部41、42にそれぞれ供給するための信号線とを具え、前記第１筐体10には、耳に装着された状態で耳の内側に向く内側壁と耳の外側に向く外側壁11のそれぞれに、貫通孔が開設されると共に、第１筐体10の内部には、両貫通孔を互いに連通せしめる音響通路が形成されている。【選択図】図１
2007142601.tif 000002
【特許請求の範囲】
【請求項１】
使用者の耳に装着可能な第１筐体(10)の内部に第１音声検知器(８)を内蔵してなる耳用マイクロフォン(１)と、第１筐体(10)が耳に装着された状態で使用者の口元付近に配置可能な第２筐体(20)の内部に第２音声検知器(28)を内蔵してなる口用マイクロフォン(２)と、ステレオ録音機の外部入力端子に接続可能な左チャンネル端子部(41)及び右チャンネル端子部(42)を有するコネクター(４)と、耳用マイクロフォン(１)に内蔵された第１音声検知器(８)の出力信号と口用マイクロフォン(２)に内蔵された第２音声検知器(28)の出力信号とを前記コネクター(４)の両チャンネル端子部(41)(42)にそれぞれ供給するための信号線(50)(51)とを具え、前記第１筐体(10)には、耳に装着された状態で耳の内側に向く内側壁(13)と耳の外側に向く外側壁(11)のそれぞれに、貫通孔(14)(12)が開設されると共に、第１筐体(10)の内部には、両貫通孔(12)(14)を互いに連通せしめる音響通路Ｐが形成されていることを特徴とするマイクロフォン装置。
【請求項２】
第１筐体(10)は、耳介内に挿入可能な寸法形状を有している請求項１に記載のマイクロフォン装置。
【請求項３】
耳用マイクロフォン(１)と口用マイクロフォン(２)の間を伸びる信号線の長さは、使用者の耳から口元までの距離に対応している請求項１又は請求項２に記載のマイクロフォン装置。
【請求項４】
口用マイクロフォン(２)とコネクター(４)の間を伸びる信号線には、口用マイクロフォン(２)を使用者の口元に向けて衣服に取り付けるためのクリップ(55)が装備されている請求項１乃至請求項３の何れかに記載のマイクロフォン装置。
【請求項５】
耳用マイクロフォン(１)に内蔵された第１音声検知器(８)の出力信号はコネクター(４)の左チャンネル端子部(41)に供給され、口用マイクロフォン(２)に内蔵された第２音声検知器(28)の出力信号はコネクター(４)の右チャンネル端子部(42)に供給される請求項１乃至請求項４の何れかに記載のマイクロフォン装置。
【発明の詳細な説明】
【技術分野】
【０００１】
本発明は、電話機での通話の内容を録音するためのマイクロフォン装置に関するものである。
【背景技術】
【０００２】
従来、電話機での通話は、図７に示す様な録音装置(３)を用いて録音することが可能である。該録音装置(３)は、電話機(９)の受話部(90)からの音声を検知する第１マイクロフォン(31)と、電話機(９)の送話部(91)に向けて発せられる音声を検知する第２マイクロフォン(32)と、第１及び第２マイクロフォン(31)(32)から出力される音声信号が供給されて会話の内容を録音する録音回路(図示省略)とを具え、第１マイクロフォン(31)が受話部(90)の近傍に位置すると共に、第２マイクロフォン(32)が送話部(91)の近傍に位置する様に、電話機(９)に取り付けられる(特許文献１参照)。
【特許文献１】特開２０００−２３２５１０号公報[H04M1/65]
【発明の開示】
【発明が解決しようとする課題】
【０００３】
しかし、図７に示す録音装置(３)は電話機(９)に取り付ける構造を有しているので、受話部(90)と送話部(91)の間隔が異なる等、形状の異なる電話機(９)では、録音装置(３)を使用することが出来ない問題があった。
【０００４】
本発明の目的は、電話機の機種や形状によらず通話の内容を録音することが可能なマイクロフォン装置を提供することである。
【課題を解決するための手段】
【０００５】
本発明のマイクロフォン装置は、使用者の耳に装着可能な第１筐体(10)の内部に第１音声検知器(８)を内蔵してなる耳用マイクロフォン(１)と、第１筐体(10)が耳に装着された状態で使用者の口元付近に配置可能な第２筐体(20)の内部に第２音声検知器(28)を内蔵してなる口用マイクロフォン(２)と、ステレオ録音機の外部入力端子に接続可能な左チャンネル端子部(41)及び右チャンネル端子部(42)を有するコネクター(４)と、耳用マイクロフォン(１)に内蔵された第１音声検知器(８)の出力信号と口用マイクロフォン(２)に内蔵された第２音声検知器(28)の出力信号とを前記コネクター(４)の両チャンネル端子部(41)(42)にそれぞれ供給するための信号線(50)(51)とを具え、前記第１筐体(10)には、耳に装着された状態で耳の内側に向く内側壁(13)と耳の外側に向く外側壁(11)のそれぞれに、貫通孔(14)(12)が開設されると共に、第１筐体(10)の内部には、両貫通孔(12)(14)を互いに連通せしめる音響通路Ｐが形成されている。
【０００６】
上記本発明のマイクロフォン装置を使用して電話機での通話を録音する場合、コネクター(４)を外部のステレオ録音機の外部入力端子に接続する。又、耳用マイクロフォン(１)の第１筐体(10)を耳に装着し、その上から電話機の受話部を当てる。又、口元に向けて口用マイクロフォン(２)の第２筐体(20)と電話機の送話部を配置する。
受話部からの音声、即ち、通話の相手方の音声は、耳用マイクロフォン(１)の第１筐体(10)の外側壁(11)に開設された貫通孔(12)から第１筐体(10)の内部に入り、第１筐体(10)内の音響通路Ｐを経て、内側壁(13)に開設された貫通孔(14)から第１筐体(10)の外部に出て、使用者の耳に伝えられる。従って、使用者は、受話部からの音声を聞いて通常通りの通話を行なうことが出来、使用者の電話機の送話部に発せられた音声は、電話機を介して通話の相手に伝えられる。
【０００７】
又、受話部からの音声は、耳用マイクロフォン(１)の第１筐体(10)の外側壁(11)に開設された貫通孔(12)から第１筐体(10)の内部に入り、第１音声検知器(８)により検知される。第１音声検知器(８)により検知された音声は、第１音声検知器(８)から音声信号として出力され、該音声信号が、信号線(50)を経てコネクター(４)の両チャンネル部(41)(42)の一方に供給されて受話部からの音声がステレオ録音機の一方のチャンネルに録音される。
電話機の送話部に向けて発せられた使用者の音声は、第２音声検知器(28)により検知される。第２音声検知器(28)により検知された音声は、第２音声検知器(28)から音声信号として出力され、該音声信号は、信号線(51)を経てコネクター(４)に供給される。第２音声検知器(28)からコネクター(４)に供給された音声信号は、前記第１音声検知器(８)からの音声信号とは異なるチャンネル端子部に供給され、ステレオ録音機の他方のチャンネルに録音される。この様にして、相手方の音声と使用者自身の音声がステレオ録音機の一対のチャンネルに録音されることになる。
【０００８】
具体的構成において、第１筐体(10)は、挿入可能な寸法形状を有しており、該具体的構成によれば、第１筐体(10)を耳に装着するための特別な器具が不要である。又、第１筐体(10)に妨げられることなく受話部を耳に近づけることが出来るので、受話部からの音声が殆ど外部に漏れることなく、然も、受話部からの音声を十分な音量により聞くことが出来る。
【０００９】
具体的構成において、耳用マイクロフォン(１)と口用マイクロフォン(２)の間を伸びる信号線の長さは、使用者の耳から口元までの距離に対応している。又、口用マイクロフォン(２)とコネクター(４)の間を伸びるケーブル(57)には、口用マイクロフォン(２)を使用者の口元に向けて衣服に取り付けるためのクリップ(55)が装備されている
【００１０】
該具体的構成によれば、口用マイクロフォン(２)を口元付近に確実に位置決めすることが出来る。
【００１１】
具体的構成において、耳用マイクロフォン(１)に内蔵された第１音声検知器(８)の出力信号はコネクター(４)の左チャンネル端子部(41)に供給され、口用マイクロフォン(２)に内蔵された第２音声検知器(28)の出力信号はコネクター(４)の右チャンネル端子部(42)に供給される。
【００１２】
ステレオ録音機の外部入力端子部に接続されるべきコネクター(４)を、標準的なモノラル録音機の外部入力端子部に接続した場合、モノラル録音機の外部入力端子部には、コネクター(４)の左チャンネル(41)のみが接続されて、右チャンネル(42)は接続されない。
従って、該具体的構成によれば、コネクター(４)がモノラル録音機に接続された場合にも、コネクター(４)の左チャンネル端子部(41)から供給される音声信号、即ち、より録音する必要性の高い相手方の音声は録音することが出来る。
【発明の効果】
【００１３】
本発明のマイクロフォン装置によれば、電話機の受話部からの音声を録音するための耳用マイクロフォン(１)を耳に装着した状態で、電話機の受話部からの音声を聞くことが出来、且つ、電話機の送話部に向けて発せられる音声を録音するための口用マイクロフォン(２)を使用者の口元付近に配置可能な構成としたので、耳用マイクロフォン(１)と口用マイクロフォン(２)を電話機に取り付ける必要がなく、よって電話機の形状や機種によらず通話の内容を録音することが出来る。
【発明を実施するための最良の形態】
【００１４】
以下、本発明の実施の形態につき、図面に沿って具体的に説明する。図１及び図２に示す如く、本発明のマイクロフォン装置は、使用者の耳に装着されて電話機(９)の受話部(90)からの音声を検知するための耳用マイクロフォン(１)と、使用者の口元付近に位置して電話機(９)の送話部(91)に向けて発せられた使用者自身の音声を検知するための口用マイクロフォン(２)と、耳用マイクロフォン(１)と口用マイクロフォン(２)を外部のステレオ録音機(54)に接続するためのコネクター(４)と、両マイクロフォン(１)(２)からコネクター(４)へ伸びるケーブル(56)(57)とを有している。
【００１５】
耳用マイクロフォン(１)は、図３に示す様に、使用者の耳介に挿入されるべき第１筐体(10)を有している。筐体(10)は、直径約１.０ｃｍの略円筒状の周壁(17)と、該周壁(17)の両側を塞ぐ内側壁(11)及び外側壁(13)を具えている。第１筐体(10)が使用者の耳介に挿入された状態で、内側壁(13)が使用者の耳の内側に向き、外側壁(11)が耳の外側、即ち電話機(９)の受話部(90)側を向くことになる。
【００１６】
図４に示す様に、内側壁(13)の外形は、直径約１.２ｃｍの略円形に形成されており、外周縁部が周壁(17)の外側に突出して鍔部(13a)を形成している。内側壁(13)の中心部の円形の領域には、第１筐体(10)の内部の空間を拡げる様に突出したドーム状の凸部(13b)が形成されている。該凸部(13b)には、外部から第１筐体(10)の内部に貫通するスリット状の貫通孔(14)が４箇所に平行に開設されている。
【００１７】
図５に示す様に、外側壁(11)の外形は直径約１.０ｃｍの略円形であり、外側壁(11)の中心部の円形の領域(11a)には、外部から第１筐体(10)の内部に貫通するスリット状の貫通孔(12)が３箇所に平行に開設されている。
【００１８】
図３に示す様に、第１筐体(10)は、周壁(17)から突出して設けられた突出部(19)を有している。該突出部(19)は、断面が略楕円形の扁平な筒状に形成されており、外側壁(11)と一体に形成された側壁部(19a)を有している。図５に示す様に、側壁部(19a)の周壁(17)側の端部には、外部から突出部(19)の内部に貫通する円形の小孔(16)が６箇所に開設されており、突出部(19)の先端部にはゴム部材(15)が取り付けられている。
【００１９】
図４に示す様に、第１筐体(10)には、第１筐体(10)を耳介に密着させるためのゴム製のカバー(７)が取り付けられている。該カバー(７)は、中央部に円形の窓部(70)を有するリング状に形成されている。又、図３に示す様に、カバー(７)の外周縁部には係止部(71)が形成され、カバー(７)は、該係止部(71)により第１筐体(10)の内側壁(13)の鍔部(13a)に取り付けられている。カバー(７)が第１筐体(10)に取り付けられた状態で、カバー(７)の窓部(70)から内側壁(13)の貫通孔(14)のほぼ全体が露出している。
【００２０】
図３に示す様に、第１筐体(10)の内部には、第１音声検知器(８)が収容され、第１音声検知器(８)と周壁(17)との間、及び第１音声検知部(８)と側壁(11)(13)との間には、音響通路Ｐを形成すべき空間が設けられている。
【００２１】
図３に示す様に、第１音声検知器(８)からは信号線(50)とグランド線(52)が引き出されている。第１筐体(10)の突出部(19)からは第１ケーブル(56)が伸びており、該第１ケーブル(56)は、絶縁被膜中に信号線(50)とグランド線(52)を埋設して構成されている。
【００２２】
図２に示す様に、口用マイクロフォン(２)の第２筐体(20)の一端部には、耳用マイクロフォン(１)の第１筐体(10)から伸びる第１ケーブル(56)が連結されている。第１ケーブル(56)の長さは、耳用マイクロフォン(１)の第１筐体(10)が使用者の耳介に挿入された状態で口用マイクロフォン(２)の第２筐体(20)が使用者の口元付近に位置する様に設定されている。
【００２３】
第２筐体(20)の３箇所には、外部から第２筐体(20)の内部に貫通する貫通孔(22)が設けられている。第２筐体(20)の内部には、第２音声検知器(28)が内蔵されており、該第２音声検知器(28)は、貫通孔(22)の近傍に配置されている。
【００２４】
第２音声検知器(28)からは、信号線とグランド線(図２では図示省略)が引き出されている。又、耳用マイクロフォン(１)の前記第１音声検知器(８)の信号線(50)とグランド線(52)は、第２筐体(20)の内部に挿入されている。
第２筐体(20)の他端部からは、第２ケーブル(57)が伸びており、該第２ケーブル(57)は、絶縁被膜中に、第１音声検知器の信号線(50)と第２音声検知器(28)の信号線とグランド線(52)とを埋設して構成されている。
【００２５】
口用マイクロフォン(２)の第２筐体(20)から伸びる第２ケーブル(57)の中間位置には、クリップ(55)が装備されており、第２ケーブル(57)の終端部は、コネクター(４)に連結されている。
【００２６】
コネクター(４)は、図１及び図２に示す様に、ステレオ録音機(54)の外部入力端子に接続可能な接続端子(40)を具えており、接続端子(40)は、左チャンネル端子部(41)と、右チャンネル端子部(42)と、該接続端子(40)がステレオ録音機(54)に接続されることにより接地されるグランド部(43)とから構成されている。
【００２７】
図６に、本発明のマイクロフォン装置の回路図を示す。第１音声検知器(８)を構成する回路においては、第１マイクロフォン素子(83)に対して、一対のコンデンサ(81)(81)とバリスタ(82)とが並列接続されている。バリスタ(82)は、第１マイクロフォン素子(83)を保護する役割を果たすものである。互いに並列に接続されたコンデンサ(81)(81)の両端からは、信号線(50)とグランド線(52)が引き出されている。
【００２８】
第２音声検知器(28)を構成する回路においては、第２マイクロフォン素子(26)に対して、一対のコンデンサ(24)(24)とバリスタ(25)とが並列接続されている。バリスタ(25)は、第２マイクロフォン素子(26)を保護する役割を果たすものである。互いに並列に接続されたコンデンサ(24)(24)の両端からは、信号線(51)とグランド線(52)が引き出されている。
【００２９】
第１音声検知器(８)から引き出された信号線(50)は、口用マイクロフォン(２)の第２筐体(20)の内部を通過して、コネクター(４)の左チャンネル端子部(41)に接続されている。
【００３０】
第２音声検知器(28)から引き出された信号線(51)は、コネクター(４)の右チャンネル端子部(42)に接続されている。
【００３１】
又、第１音声検知器(８)から引き出されたグランド(52)は、口用マイクロフォン(２)の第２筐体(20)の内部で第２音声検知器(28)から引き出されたグランド線(52)に接続され、該グランド線(52)は、コネクター(４)のグランド部(43)に接続されている。
【００３２】
上記マイクロフォン装置を使用して電話機(９)での通話を録音する場合、図１に示す様に、コネクター(４)を外部のステレオ録音機(54)の外部入力端子に接続する。又、耳用マイクロフォン(１)の第１筐体(10)を耳介に挿入し、その上から電話機(９)の受話部(90)を当て、口元に向けて電話機(９)の送話部(91)を配置する。そして、第２ケーブル(57)に取り付けられたクリップ(55)により衣服を挟み、口用マイクロフォン(２)の第２筐体(20)を口元付近に位置決めして、第２筐体(20)の図２に示す貫通孔(22)を口元側に向ける。
【００３３】
第１筐体(10)は、耳介に挿入可能な様に小型且つ薄型に形成されているので、第１筐体(10)を耳に装着するための特別な器具は不要である。又、第１筐体(10)に妨げられることなく受話部(90)を耳に近づけることが出来るので、受話部(90)からの音声が殆ど外部に漏れることなく、然も、受話部(90)からの音声を十分な音声により聞くことが出来る。
【００３４】
図３に示す様に、電話機(９)の受話部(90)からの音声Ｓ１は、耳用マイクロフォン(１)の第１筐体(10)の外側壁(11)の貫通孔(12)と突出部(19)の小孔(16)から第１筐体(10)の内部に入る。そして、受話部(90)からの音声Ｓ１は、第１筐体(10)と第１音声検知器(８)との間の空間を音響通路Ｐとして、矢印で示す様に第１筐体(10)の内部を通過し、内側壁(13)に開設された貫通孔(14)から第１筐体(10)の外部に出る。この様にして、第１筐体(10)を通過した通過音声Ｓ２は、使用者の耳に伝わり、使用者は、電話機(９)の受話部(90)からの音声Ｓ１、即ち通話の相手方の音声を聞いて、通常通りの通話を行なうことが出来る。使用者の電話機(９)の送話部(91)に発せられた音声は、電話機(９)を介して通話の相手に伝えられる。
【００３５】
上記の如く、第１筐体(10)には開口面積が十分に広い貫通孔(12)(14)を設けると共に、第１筐体(10)の内部には、両貫通孔(12)(14)を互いに連通する十分に広い音響通路Ｐを設けたので、第１筐体(10)を通過する通過音声Ｓ２は、電話機(９)の受話部(90)からの音声Ｓ１とほぼ同等の音量を維持する。従って、使用者は、耳用マイクロフォン(１)の第１筐体(10)を耳介に挿入した状態でも、通話の相手方の音声を十分な音量で聞くことが出来る。
【００３６】
又、図３に示す様に、受話部(90)からの音声Ｓ１は、耳用マイクロフォン(１)の第１筐体(10)の外側壁(11)の貫通孔(12)と突出部(19)の小孔(16)から第１筐体(10)の内部に入り、第１音声検知器(８)により検知される。第１音声検知器(８)は、検知した音声を音声信号として出力し、第１音声検知器(８)から出力された音声信号は、信号線(50)を経て、図１に示すコネクター(４)の左チャンネル端子部(41)からステレオ録音機(54)に供給される。この結果、通話の相手方の音声がステレオ録音機(54)の左チャンネルに録音されることになる。
【００３７】
又、図１に示す様に、電話機(９)の送話部(91)に向けて発せられた使用者の音声は、口用マイクロフォン(２)の第２筐体(20)に設けられた図２に示す貫通孔(22)から第２筐体(20)内部に入り、第２音声検知器(28)により検知される。第２音声検知器(28)は、検知した音声を音声信号として出力し、第２音声検知器(28)から出力された音声信号は、図６に示す信号線(51)を経て、コネクター(４)の右チャンネル端子部(42)からステレオ録音機(54)に供給される。この結果、使用者の音声がステレオ録音機(54)の右チャンネルに録音されることになる。
この様にして、ステレオ録音機(54)により、コネクター(４)の左チャンネル端子部(41)から供給された信号と、コネクター(４)の右チャンネル端子部(42)から供給された信号が、それぞれ一対のチャンネルに録音されるのである。
【００３８】
上述の如く、本発明のマイクロフォン装置によれば、電話機(９)の受話部(90)からの音声を録音するための耳用マイクロフォン(１)を耳に装着した状態で、受話部(90)からの音声を聞くことが出来、且つ、電話機(９)の送話部(91)に向けての音声を録音するための口用マイクロフォン(２)を使用者の口元付近に配置可能な構成としたので、耳用マイクロフォン(１)と口用マイクロフォン(２)を電話機に取り付ける必要がなく、よって電話機の形状や機種によらず汎用的に使用することが出来る。
【００３９】
尚、本発明のマイクロフォン装置は、本来、上記の如くコネクター(４)をステレオ録音機(54)に接続して使用するものであるが、コネクター(４)をモノラル録音機の外部入力端子部に接続して使用することも可能である。標準的なモノラル録音機の外部入力端子部には、ステレオ録音機(54)の外部入力端子部に接続されるべきコネクター(４)の左チャンネル端子部(41)のみが接続され、右チャンネル端子部(42)は接続されない。
従って、コネクター(４)の右チャンネル端子部(42)から供給される信号、即ち使用者自身の音声を録音することは出来ないが、コネクター(４)の左チャンネル端子部(41)から供給される信号、即ち、録音する必要性が高い相手方の音声は録音することが出来る。
【００４０】
尚、本発明の各部構成は上記実施の形態に限らず、特許請求の範囲に記載の技術的範囲内で種々の変形が可能である。例えば、第１音声検知器(８)をコネクター(４)の右チャンネル端子部(42)に接続し、第２音声検知器(28)をコネクター(４)の左チャンネル端子部(41)に接続する構成も採用可能である。
【００４１】
又、耳用マイクロフォン(１)の第１筐体(10)は、耳介内に挿入する構成に限らず、例えば、第１筐体(10)を耳に装着するためのＣ字状の装着具を具え、該装着具によって第１筐体(10)を耳の外側に配置する構成であってもよい。
【図面の簡単な説明】
【００４２】
【図１】本発明のマイクロフォン装置の使用状態を示す図である。
【図２】本発明のマイクロフォン装置の全体正面図である。
【図３】耳用マイクロフォンの断面図である。
【図４】耳用マイクロフォンを拡大した正面図である。
【図５】耳用マイクロフォンを拡大した背面図である。
【図６】本発明に係るマイクロフォン装置の回路図である。
【図７】電話機での通話を録音するための従来の装置を示す図である。
【符号の説明】
【００４３】
(１)  耳用マイクロフォン
(10)  第１筐体
(11)  外側壁
(12)  貫通孔
(13)  内側壁
(14)  貫通孔
(17)  周壁
(２)  口用マイクロフォン
(20)  第２筐体
(28)  第２音声検知器
(４)  コネクター
(40)  接続端子
(41)  左チャンネル端子部
(42)  右チャンネル端子部
(50)  信号線
(51)  信号線
(54)  ステレオ録音機
(55)  クリップ
(56)  第１ケーブル
(57)  第２ケーブル
(８)  第１音声検知器
(９)  電話機
(90)  受話部
(91)  送話部
Ｐ  音響通路
【図１】
2007142601.tif 000003
【図２】
2007142601.tif 000004
【図３】
2007142601.tif 000005
【図４】
2007142601.tif 000006
【図５】
2007142601.tif 000007
【図６】
2007142601.tif 000008
【図７】
2007142601.tif 000009